(57)【特許請求の範囲】
【請求項１】
オーディオ信号を出力するネックバンド型イヤーホンにおいて、
弾性体により形成され湾曲を形成するネックバンド部と、
ハウジングに固着しオーディオ信号を放音する振動板を有するドライバーユニットと、
前記ネックバンド部の両端に接続され前記ネックバンド部が接続する面と対向する面に曲面部を備え前記ドライバーユニットにオーディオ信号を出力するヘッド保持部と、
湾曲を成した弾性体により形成され前記ヘッド保持部と前記ハウジングを接続するアーム部とを備え、
前記ヘッド保持部は、オーディオ信号を受信するオーディオ信号受信部と、
前記オーディオ信号受信部が受信したオーディオ信号を前記ドライバーユニットに出力するオーディオ信号出力部と、
前記ネックバンド部に対して前記ヘッド保持部の内側となる面に配設され凹型を形成した複数のディンプル部と、
前記ネックバンド部に対して前記ヘッド保持部の外側となる面に配設され内側に押圧されることにより前記オーディオ信号出力部に指示信号を出力する操作部とを備えることを特徴とするネックバンド型イヤーホン。
【請求項２】
請求項１記載のネックバンド型イヤーホンにおいて、
前記ディンプル部は、弾性体により形成されていることを特徴とするネックバンド型イヤーホン。
【請求項３】
請求項１または２記載のネックバンド型イヤーホンにおいて、
前記ヘッド保持部は、前記オーディオ信号受信部及びオーディオ信号出力部に電力を供給するバッテリーを備えることを特徴とするネックバンド型イヤーホン。
【発明の詳細な説明】
【技術分野】
【０００１】
本発明は、ネックバンド型イヤーホンに関する。
【背景技術】
【０００２】
近年になり、ポータブルオーディオ再生装置用のイヤーホンとして、インナーイヤー型イヤーホン、ネックバンド型イヤーホンなどが普及し始めている。このうち、ネックバンド型イヤーホンは、ドライバーユニットを連結するバンド部を頭頂部で保持するヘッドホンと異なり、ヘッドホン自体が比較的小さく、デザイン性に優れている。
【０００３】
ネックバンド型イヤーホンは、イヤーホンのドライバーユニットがバンド部で連結される。バンド部は、Ｕ字状の形状を有し、イヤーホンを装着した際に、バンドが装着者の後頭部付近に配置される。このようなネックバンド型イヤーホンが開示されている（例えば、特許文献１及び特許文献２参照）。
【０００４】
また、他の従来のイヤーホンとして、オーディオ信号を再生する再生部をネックバンドの後方に備えたネックバンド型イヤーホンが知られている（例えば、特許文献３参照）。このような従来のネックバンド型イヤーホンは、再生部自体をネックバンド型イヤーホンが備えることによって、再生装置とネックバンド型イヤーホンをケーブルによって接続する必要がないため、例えば、ユーザが通勤で歩行する場合やジョギングなどのスポーツを行う場合にケーブルを気にせずにスポーツに集中することができる。
【０００５】
また、近年、再生装置からイヤーホンにオーディオ信号を送信する手段として、従来のケーブルを介して再生装置からオーディオ信号をイヤーホンに送信する替わりに、電波によってオーディオ信号を送信する装置が知られている。このような電波によってオーディオ信号を送信する装置においては、再生装置にオーディオ信号を電波によって出力する送信部を備え、一方、イヤーホンにオーディオ信号を受信する受信部を備えることにより、再生装置によって再生したオーディオ信号を電波によってネックバンド型イヤーホンが受信する構成となっている。
【先行技術文献】
【特許文献】
【０００６】
【特許文献１】特開２００７−０１３８７３号公報
【０００７】
【特許文献２】特開２００８−２２７７５４号公報
【０００８】
【特許文献３】特開２００２−２３８０９２号公報
【発明の開示】
【発明が解決しようとする課題】
【０００９】
特許文献１に開示されているヘッドホン装置は、左右の耳用の２つのドライバユニットが内蔵されたヘッドホンハウジングが、Ｕ字状のバンド部に備えられている。バンド部は、先端部が装着者の左右の耳介の上端付近の側頭部に保持され、バンド部の中間部が装着者の後頭部に配置される。そして、バンド部の先端部は、装着者の耳介より前方に突出し、バンド部の先端部付近が装着者の頭部に当接し、ヘッドホン装置全体を装着者の頭部にしっかりと装着させる。
【００１０】
しかし、当該ヘッドホン装置は、バンド部の先端部付近が装着者の頭部を締め付ける状態となり、ヘッドホン装置を長時間装着した場合に装着者の頭痛を引き起こすことがある。当該ヘッドホン装置は、バンド部の先端付近が頭部のこめかみ付近に当接する。また、ヘッドホン装置を頭部にしっかりと装着させるためには、バンド部に弾力性のある素材を用い、その弾力によりバンド部の先端部が頭部にしっかりと当接するようにバンド部が形成される。これらのことから、ヘッドホン装置を装着者の頭部に装着した場合、バンド部が頭部を締め付ける状態となり、当該ヘッドホン装置を長時間装着することに適さない。
【００１１】
また、当該ヘッドホン装置は、バンド部とヘッドホンハウジングが装着者の頭部に接触して当該ヘッドホン装置を頭部に保持するが、頭部に当接する部分が面ではなく線で接触するため、装着者に不安定感を生じさせることになり、ヘッドホン装置の装着の安定感がない。
【００１２】
また、当該ヘッドホン装置は、バンド部の先端が突出しているため、ヘッドホン装置を使用する際に誤って耳や後頭部をつついてしまうなどの危険がある。ネックバンド型のヘッドホン装置は普及し始めているが、まだその使用方法がわからない人もいる。先端部を有する当該ヘッドホン装置は、ヘッドホンとしての形状が特殊な形状であるため、ポータブル装置を外で利用し、夜間に当該ヘッドホン装置を装着する際、装着者が、当該ヘッドホン装置が先端部を有することを失念し、当該ヘッドホン装置を装着する際に、先端部で耳や頭部をつついてしまうという危険がある。
【００１３】
さらに、当該ヘッドホンは、先端部を有するバンド部にヘッドホンハウジングが備えられている形状であり、ヘッドホン装置全体の強度が低く、先端部が折れて破損する可能性がある。
【００１４】
再生装置が再生したオーディオ信号を電波によって受信するネックバンド型イヤーホンは、再生装置からの電波を受信する受信部を備える以外にも、オーディオ信号の音量等を制御する制御部、電源を供給するためのバッテリー等が必要となる。このため、特許文献２に開示されているようなネックバンド型イヤーホンによって再生装置からオーディオ信号を電波によって受信する場合は、前述した受信部、制御部及びバッテリー等をハウジング内に備える必要があるため、ハウジングが重くなってしまう。このようにハウジングが重くなってしまうと、例えば、ユーザが通勤で歩行する場合やジョギングなどのスポーツを行っている間に、ハウジングの重量によってネックバンド型イヤーホンが脱落したり、耳からズレてしまう虞がある。
【００１５】
また、特許文献３に開示されているような再生部をネックバンドの後方に備えるネックバンド型イヤーホンにおいては、制御部及びバッテリー等をこの再生部内に備えることができるが、頭部の後方部分にこのような再生部を頭部に保持した状態で、ユーザが通勤による歩行を行ったりジョギングなどのスポーツを行うと、ユーザの頭部が振動する毎にネックバンドの後方に備える再生部の重量の負荷がユーザの頭部に伝達してしまい、この再生部の重量によって頭部が後方に傾いてしまい、ネックバンド型イヤーホンの装着性が著しく損なわれてしまう虞がある。
【００１６】
したがって、本願発明は、装着者にネックバンド型イヤーホンの装着の不快感を与えることなく長時間装着することができ、また、装着時の装着者への危険を低減し、破損する箇所を少なくし、また、ユーザがネックバンド型イヤーホンを装着した状態で通勤やスポーツ等を行っても、ネックバンド型イヤーホンが耳からズレたり装着性が損なわれてしまうことを防止することができるネックバンド型イヤーホンを提供することを目的とする。
【課題を解決するための手段】
【００２２】
また、本願発明は、オーディオ信号を出力するネックバンド型イヤーホンにおいて、弾性体により形成され湾曲を形成するネックバンド部と、ハウジングに固着しオーディオ信号を放音する振動板を有するドライバーユニットと、前記ネックバンド部の両端に接続され前記ネックバンド部が接続する面と対向する面に曲面部を備え前記ドライバーユニットにオーディオ信号を出力するヘッド保持部と、湾曲を成した弾性体により形成され前記ヘッド保持部と前記ハウジングを接続するアーム部とを備え、前記ヘッド保持部は、オーディオ信号を受信するオーディオ信号受信部と、前記オーディオ信号受信部が受信したオーディオ信号を前記ドライバーユニットに出力するオーディオ信号出力部と、前記ネックバンド部に対して前記ヘッド保持部の内側となる面に配設され凹型を形成した複数のディンプル部と、前記ネックバンド部に対して前記ヘッド保持部の外側となる面に配設され内側に押圧されることにより前記オーディオ信号出力部に指示信号を出力する操作部とを備えることを特徴とする。
【００２３】
また、本願発明は、ネックバンド型イヤーホンにおいて、ディンプル部は、弾性体により形成されていることを特徴とする。
【００２４】
また、本願発明は、ネックバンド型イヤーホンにおいて、ヘッド保持部は、オーディオ信号受信部及びオーディオ信号出力部に電力を供給するバッテリーを備えることを特徴とする。
【発明の効果】
【００２５】
本願発明は、ネックバンド型イヤーホンにおいて、装着者にネックバンド型イヤーホンの装着の不快感を与えることなく長時間装着することができ、また、装着時の装着者への危険を低減し、破損する箇所を少なくし、また、ユーザがネックバンド型イヤーホンを装着した状態で通勤やスポーツ等を行っても、ネックバンド型イヤーホンが耳からズレたり装着性が損なわれてしまうことを防止することができるネックバンド型イヤーホンを提供することができる。
【図面の簡単な説明】
【００２６】
【図１】本発明の第１実施例のネックバンド型イヤーホンの概略構成を示す図。
【図２】本発明の第１実施例のネックバンド型イヤーホンのクッション部の構造を説明する図。
【図３】本発明の第１実施例のネックバンド型イヤーホンのクッション部を説明する図。
【図４】本発明の第２実施例のネックバンド型イヤーホンを示す概略構成図。
【図５】本発明の第２実施例のネックバンド型イヤーホン１００のヘッド保持部２００、アーム部５００及びハウジング３００を示す側面図。
【図６】図５に示すネックバンド型イヤーホン１００のハウジング３００及びイヤーパッド４００を示すＡ−Ａ断面図。
【図７】図５に示すネックバンド型イヤーホン１００のヘッド保持部２００を示すＢ−Ｂ断面図。
【発明を実施するための最良の形態】
【００２７】
（第１の実施の形態）
以下、本発明の第１の実施の形態を図面に基づいて説明する。
図１は、本発明の第1実施例のネックバンド型イヤーホンの概略構成を示す図である。図１（ａ）は、ネックバンド型イヤーホン全体の概略構成を示す図であり、図１（ｂ）は、ネックバンド型イヤーホンのイヤーホンドライバーの概略構成を示す図である。
図１（ａ）において、ネックバンド型イヤーホン１０は、２つのイヤーホンドライバー２０、ネックバンド３０を備える。ネックバンド３０は、Ｕ字形状を有し、その2つの端部にイヤーホンドライバー２０が備えられる。なお、ネックバンド３０のＵ字形状は、その両端が少し内側に湾曲する形状を有している。２つのイヤーホンドライバー２０が装着者の耳介に備えられ、ネックバンド３０は装着者の首の後ろ側に配置され、ネックバンド型イヤーホン１０が装着者に装着される。
【００２８】
図１（ｂ）において、イヤーホンドライバー２０は、イヤーホン部４０、イヤーホルダー部５０、ホルダー本体６０を備える。イヤーホン部４０は、装着者の耳介に挿入され、オーディオ信号を出力する。イヤーホルダー部５０は、イヤーホン部４０と後述するホルダー本体６０とを接続し、装着者の耳介の上側に接触してネックバンド型イヤーホン１０を保持する。ホルダー本体６０は、電気信号をオーディオ信号に変換するドライバー(図示せず)を内蔵し、イヤーホルダー部５０を介してイヤーホン部４０を保持すると共に、装着者の耳介周辺の頭部と接触するクッション部７０を備える。
【００２９】
ネックバンド型イヤーホン１０は、イヤーホンドライバー２０のイヤーホルダー部５０が装着者の耳介の上側に接触すると共に、ホルダー本体６０が装着者の耳介の後ろ側周辺の頭部に接触し、Ｕ字形状のネックバンド３０の両端が内側に湾曲していることにより、ネックバンド型イヤーホン１０が装着者の頭部に保持される。
【００３０】
図２は、本発明の第１実施例のネックバンド型イヤーホンのクッション部の構造を説明する図であり、図２（ａ）は、中空タイプのクッション部を示す断面図であり、図２（ｂ）は、充填部材を充填したクッション部を示す断面図である。
図２(ｂ）に示すイヤーホンドライバー２０のホルダー本体６０は、複数の凸部８０からなるクッション部７０を備えている。当該クッション部７０は、前述したとおり、イヤーホンドライバー２０が装着者の耳介に装着されると、ホルダー本体６０が装着者の耳介の後ろ側の頭部に接触し、そのとき、ホルダー本体６０に備えられているクッション部７０が装着者の頭部に直接接触する。
【００３１】
クッション部７０の凸部８０は、エストラマー部材により形成されている。凸部８０は、図２（ａ）に示すとおり、内部に中空部８１を有し、空気が充填されている。クッション部７０の素材に、エストラマー部材の柔らかい素材を用い中空にすることにより、装着者に接触した際にクッション部７０の凸部８０が押しつぶされるように頭部に接触し、装着者に柔らかい装着感が得られると共に、密着感が得られる。また、柔らかい素材であるため、装着者に痛みを与えることなく、装着者が長時間の装着にも耐えることができる。更に、中空部の成形が容易であるため、ボルダー本体６０自体の製造も容易である。
【００３２】
また、図２（ｂ）に示すとおり、クッション部７０の凸部８０は、内部にジェル状のシリコンなどの充填部材８２を注入するようにしてよい。ジェル状の充填部材８２を用いることにより、クッション部７０の凸部８０の形状が装着者の頭部の形状にあった方に変形した状態を維持し、更に装着感と密着感を向上させることができる。
【００３３】
図３は、本発明の第１実施例のネックバント型イヤーホンにおけるクッション部の他の例を説明する図である。
クッション部７０における凸部８０の数、大きさ、配置、形状等については、さまざまな組み合わせが可能である。
図１に示すとおり、クッション部７０は、３つの凸部８０から構成されるほか、図３（ａ）に示すとおり、１つの凸部８０で構成されていてもよく、また、図１や図３（ｂ）に示すとおり、２つ以上の複数の凸部８０で構成されていてもよい。少なくとも１つの凸部８０を有するクッション部７０により、装着者がネックバンド型イヤーホン１０を装着した際に、装着者に不快感を与えることなく安定した装着感を得ることができ、そして、長時間の装着を可能にすることができる。
【００３４】
また、クッション部７０の凸部８０は、図１に示すとおり、１つの大きい凸部８０と、それより小さいサイズの凸部８０との組み合わせでもよく、また、図３(ｂ）に示すとおり、同じ大きさのサイズの凸部８０で構成されるようにしてもよい。同じ大きさの複数の凸部８０でクッション部７０を構成することにより、複数の凸部８０が同じ圧力で頭部に接触することにより、均一の圧力で接触した安定した装着感を得ることができる。
【００３５】
また、クッション部７０の凸部８０は、図３（ｃ）に示すとおり、円形の凸部８０と多角形(三角形、四角形、または、それ以上の多角形)の凸部８０で構成されていてもよい。更に、凸部８０は、図３（ｄ）に示すとおり、多角形(三角形、四角形、または、それ以上の多角形)の凸部８０のみで構成されていてもよい。円形ではなく、多角形の形状の凸部８０を備えることにより、多角形の辺を有する面が、その面の方向に対する移動に抑制力が生じ、ホルダー本体６０の頭部との接触面のずれの防止になる。
【００３６】
また、クッション部７０の凸部８０は、図３（ｂ）や図３（ｄ）に示すとおり、凸部８０をさまざまな配置で形成するようにしてもよい。クッション部７０は、ネックバンド型イヤーホン１０の使用用途に応じて、適宜、さまざまな形状の凸部８０をさまざまな配置で構成することができる。
【００３７】
例えば、スポーツ等に利用することが可能なネックバンド型イヤーホン１０の場合は、クッション部７０の凸部８０の数を多くし、また、凸部８０の形状を多角形にすることにより、運動に伴う頭部の振動によるネックバンド型イヤーホン１０の頭部からのずれの防止になる。
【００３８】
一方、激しい振動がなく、長時間ネックバンド型イヤーホン１０を装着する用途の場合、円形の凸部８０であり、少数の数の凸部８０で構成したクッション部７０にすることにより、頭部への接触感をあまり与えず長時間の装着に耐えることができ、且つ、安定した装着感を得ることができる。
【００３９】
以上のように、本実施例のネックバンド型イヤーホン１０は、イヤーホンドライバー２０のイヤーホルダー部５０と共にホルダー本体６０のクッション部７０により、装着者の頭部にしっかりとネックバンド型イヤーホン１０を装着させることができると共に、ネックバンド３０の先端部付近が装着者の頭部を締め付けることがないため、装着者が、不快感を得ることなく、安定した装着感で、長時間、ネックバンド型イヤーホン１０を装着することができる。
【００４０】
また、ネックバンド型イヤーホン１０は、装着する際に用いられるネックバンド３０の突出する先端部がないため、ネックバンド型イヤーホン１０の使用方法がわからない人であっても、ネックバンド型イヤーホン１０を装着する際に、先端部で耳や頭部をつついてしまうという危険がない。
【００４１】
さらに、該ネックバンド型イヤーホン１０は、装着する際に用いられるネックバンド３０の突出する先端部がないため、先端部が折れて破損することもない。
【００４２】
したがって、本実施例のネックバンド型イヤーホン１０によれば、装着者にネックバンド型イヤーホン１０の装着の不快感を与えることなく長時間装着することができ、また、装着時の装着者への危険を低減し、破損する箇所を少なくしたネックバンド型イヤーホン１０を提供することができる。
【００４３】
（第２の実施の形態）
次に、本発明の第２の実施の形態について説明する。
【００４４】
図４は、本発明の第２実施例のネックバンド型イヤーホンを示す概略構成図である。
ネックバンド型イヤーホン１００は、２つのヘッド保持部２００、２つのハウジング３００、２つのイヤーパッド４００、２つのアーム部５００及びネックバンド部６００を備える。
【００４５】
ネックバンド部６００は、湾曲を成すゴム部材等の弾性体から形成され、両端にそれぞれヘッド保持部２００を接続する接続部６０１を備える。ヘッド保持部２００は、接続部６０１に接続される。２つのヘッド保持部２００、ハウジング３００、イヤーパッド４００及びアーム部５００は、それぞれネックバンド部６００に対して左右対称となるように配設されている。
【００４６】
ヘッド保持部２００は、ネックバンド部６００に対して外側となる面に操作部８００を備える。アーム部５００は、ゴム部材等の弾性体から成り、内部が空洞の湾曲した円筒型を形成する。アーム部５００は、一端がヘッド保持部２００の上面部分に固着され、他端にハウジング３００を固着する。ハウジング３００は、ネックバンド部６００に対して内側となる面にイヤーパッド４００を保持する。
【００４７】
図５は、本発明の第２実施例のネックバンド型イヤーホン１００のヘッド保持部２００、アーム部５００及びハウジング３００を示す側面図である。図５においては、上方向をネックバンド型イヤーホン１００の上方とし、右方向をネックバンド型イヤーホン１００の前方とする。
【００４８】
図５に示すように、アーム部５００は、略半円形に湾曲した状態に形成されている。ヘッド保持部２００は、前方の面に曲面部２０８が形成されている。アーム部５００の湾曲した内側の面は曲面部２０８の曲面となだらかに連続した状態で配設されている。図５に示すように、アーム部５００は、弾性体が有する弾性により、ハウジング３００が前方又は後方に押圧されることによって矢印方向に変形可能に成されている。
【００４９】
図６は、図５に示すネックバンド型イヤーホン１００のハウジング３００及びイヤーパッド４００を示すＡ−Ａ断面図である。図６においては、上方向をハウジング３００及びイヤーパッド４００の上方とし、右方向をハウジング３００及びイヤーパッド４００の内側とする。
ハウジング３００は、内部にドライバーユニット７００を備える。
【００５０】
図４〜図６に示すように、ハウジング３００は、内部に空洞部３０２を備えた円筒型を形成し、上方に孔３０１を備える。孔３０１は、アーム部５００の内部の空洞部分と貫通している。ハウジング３００は、内側部分に円筒形を形成し空洞部３０２から内側に貫通する孔３０３を備えた凸部３０４を備える。凸部３０４は、外周の中央部分に溝部３０５を備える。
【００５１】
ドライバーユニット７００は、図示しない振動板を備え、当該振動版が孔３０３から内側に露呈するようにハウジング３００の内壁に接着剤等により固着される。ドライバーユニット７００は、リード線１４０が電気的に接続されている。リード線１４０は、孔３０１を介してアーム部５００の内部の空洞を経由して後述するヘッド保持部２００のオーディオ信号出力部と電気的に接続されている。
【００５２】
イヤーパッド４００は、ゴム部材等の弾性体により円筒型に形成され、前後に貫通する孔４０１を備える。イヤーパッド４００は、内周方向に突出した鍔部４０２を備える。イヤーパッド４００は、鍔部４０２が凸部３０４の溝部３０５にはめ込まれることによってハウジング３００の内側に保持された状態となる。
【００５３】
図７は、図５に示すネックバンド型イヤーホン１００のヘッド保持部２００を示すＢ−Ｂ断面図である。図７においては、上方向をヘッド保持部２００の上方とし、右方向をヘッド保持部２００の内側とする。
【００５４】
ヘッド保持部２００は、前述した操作部８００以外に、シャーシ部２０１、カバー部２０３、接触部２０６、基板９００、スイッチ１０００、オーディオ信号受信部１１０、制御部１２０、オーディオ信号出力部１３０及びバッテリー１５０を備える。
【００５５】
シャーシ部２０１は、外側に開口した箱型を形成し、凹部２０２を備える。カバー部２０３は、板状を成し、シャーシ部２０１の外側から凹部２０２を覆うように固定されている。基板９００は、シャーシ部２０１の内壁に固着されたボス２０５によって凹部２０２の内部に保持され、スイッチ１０００、オーディオ信号受信部１１０、制御部１２０及びオーディオ信号出力部１３０を固着する。バッテリー１５０は、基板９００を介してスイッチ１０００、オーディオ信号受信部１１０、制御部１２０及びオーディオ信号出力部１３０に電力を供給する。図７において、バッテリー１５０は、シャーシ部２０１及びカバー部２０３の内部に備える構成としているが、シャーシ部２０１の下面に着脱可能に備える構成としても良いし、また、カバー部２０３に開閉カバーを備え、シャーシ部２０１の内部に備えるバッテリー１５０を着脱できる構成としても良い。
【００５６】
オーディオ信号受信部１１０は、図示しない再生装置から電波によって送信されるオーディオ信号を受信する。操作部８００は、内側にシャフトを備え、当該シャフトがカバー部２０３に備えた孔２０４を介して基板９００に固着されたスイッチ１０００に接続されている。スイッチ１０００は、操作部８００が内方向に押圧されることによってオーディオ信号の再生開始または再生停止の指示信号を出力する。制御部１２０は、オーディオ信号受信部１１０及びオーディオ信号出力部１３０を制御する。制御部１２０は、スイッチ１０００からの指示信号に基づいて、オーディオ信号受信部１１０が受信したオーディオ信号の出力を開始または停止するようオーディオ信号出力部１３０を制御する。オーディオ信号出力部１３０は、前述したようにリード線１４０を介してハウジング３００の内部に備えるドライバーユニット７００と電気的に接続し、制御部１２０の制御に基づいてオーディオ信号受信部１１０が受信したオーディオ信号をドライバーユニット７００に出力する。
【００５７】
接触部２０６は、ゴム部材等の板状の弾性体から成り、シャーシ部２０１の内側の側面に固着されている。接触部２０６は、図４及び図７に示すように、内側の表面に凹型を形成した複数のディンプル部２０７を備える。
【００５８】
ユーザがネックバンド型イヤーホン１００によってオーディオ信号を聴取する場合は、先ず、ネックバンド部６００をユーザの頭部に装着し、ヘッド保持部２００の曲面部２０８を耳たぶの後方に当接させると共にアーム部５００を耳の上部に掛けた状態でイヤーパッド４００を耳にはめ込む。ネックバンド型イヤーホン１００は、ネックバンド部６００の弾性によってユーザの左右の耳部分の後方をヘッド保持部２００の接触部２０６によって挟み込み、また、アーム部５００の弾性によって耳たぶの後部に当接したヘッド保持部２００の曲面部２０８とイヤーパッド４００によって耳を挟み込んだ状態となる。このことにより、ネックバンド型イヤーホン１００は、ユーザの頭部及び耳に装着された状態となる。次に、図示しない再生装置を操作して再生装置の送信部からオーディオ信号が電波によって送信されるようにする。
【００５９】
再生装置の送信部からオーディオ信号が電波によって送信されると、ネックバンド型イヤーホン１００は、再生装置の送信部から電波によって送信されるオーディオ信号をオーディオ信号受信部１１０によって入力する。制御部１２０は、ユーザによって操作部８００が押圧されスイッチ１０００から再生を指示する指示信号が出力されると、オーディオ信号受信部１１０が入力したオーディオ信号をオーディオ信号出力部１３０が出力するよう制御する。オーディオ信号出力部１３０は、制御部１２０の制御に基づいて、オーディオ信号受信部１１０から入力したオーディオ信号をリード線１４０を介してドライバーユニット７００に出力する。ドライバーユニット７００は、オーディオ信号出力部１３０から入力したオーディオ信号を磁気回路によって振動に変換し、この振動が図示しないボイスコイルを介して振動板に伝達することによってオーディオ信号を放音する。このことにより、再生装置が再生したオーディオ信号がオーディオ信号受信部１１０、オーディオ信号出力部１３０及びリード線１４０を介してドライバーユニット７００によって放音され、この放音されたオーディオ信号がハウジング３００の孔３０３を介してイヤーパッド４００の内部に伝達する。これにより、イヤーパッド４００を装着した使用者の耳にオーディオ信号が伝達し、使用者は、ネックバンド型イヤーホン１００から出力されるオーディオ信号を聴取することができる。
【００６０】
本実施例のネックバンド型イヤーホン１００は、ネックバンド部６００の弾性によってユーザの左右の耳部分の後方をヘッド保持部２００の接触部２０６によって挟み込み、また、アーム部５００の弾性によって耳たぶの後部に当接したヘッド保持部２００の曲面部２０８とイヤーパッド４００によって耳を挟み込むことよって、ネックバンド型イヤーホン１００をユーザの頭部及び耳に正確に装着させることができる。このとき、ユーザの左右の耳部分の後方に当接する接触部２０６には、表面に凹型を形成した複数のディンプル部２０７を備えることにより、ユーザの耳部分の後方の頭部の表面をディンプル部２０７の窪みによって掴んだ状態となる。このため、ヘッド保持部２００の内部に、再生装置から送信されるオーディオ信号を受信するためのオーディオ信号受信部１１０やオーディオ信号出力部１３０、バッテリー１５０等を備えていても、接触部２０６のディンプル部２０７がユーザの頭部の表面を掴んだ状態で保持することにより、例えば、ユーザがネックバンド型イヤーホン１００を装着した状態で通勤による歩行やジョギングなどのスポーツを行っても、ネックバンド型イヤーホン１００が脱落したり、耳からズレてしまうことを防止することができる。
【００６１】
また、本実施例のネックバンド型イヤーホン１００は、再生装置から送信されるオーディオ信号を受信してオーディオ信号としてドライバーユニット７００に出力させるための各種回路やバッテリー１５０をユーザの耳部分の後方の頭部表面に当接するヘッド保持部２００の内部に備えることにより、例えば、ユーザがネックバンド型イヤーホン１００を装着した状態で通勤による歩行やジョギングなどのスポーツを行うことによってユーザの頭部が上下に振動しても、アーム部５００と接触部２０６のディンプル部２０７によって、ヘッド保持部２００の重量がユーザの耳の周囲部分に略均等に分散して負荷されるため、ユーザにネックバンド型イヤーホン１００を継続して正確に装着させることができる。このため、本実施例のネックバンド型イヤーホン１００は、例えば、ネックバンド部の後方部分に各種回路やバッテリーを備えたネックバンド型イヤーホンのように、ネックバンド型イヤーホンの上下方向の振動によって頭部が前方又は後方に傾いてしまいネックバンド型イヤーホンの装着性が損なわれてしまうことを防止することができる。
【００６２】
本実施例のネックバンド型イヤーホン１００は、ヘッド保持部２００の外側の側面に操作部８００を備え、ユーザが操作部８００を押圧することによってオーディオ信号が再生または停止する構成とすることにより、ユーザがオーディオ信号の再生の開始または停止を所望して操作部８００を押圧する毎に接触部２０６のディンプル部２０７をユーザの頭部に押圧させるため、例えば、ユーザがネックバンド型イヤーホン１００を長時間装着している状態でも、ユーザが操作部８００を押圧する毎に、ディンプル部２０７の窪みにユーザの耳の後方部分の頭部表面を新たに掴ませることができるため、長時間に亘ってネックバンド型イヤーホン１００をユーザの頭部に確実に装着させることができる。
【００６３】
本実施例のネックバンド型イヤーホン１００は、ディンプル部２０７を備える接触部２０６が弾性体によって形成されている構成としたが、ディンプル部２０７の凹部によってユーザの頭部を的確に保持できるのであれば、接触部２０６を弾性体以外の金属部材やプラスチック部材としても良い。これにより、接触部２０６に様々な着色や装飾を施すことができるため、ネックバンド型イヤーホン１００の美観を向上させることができる。
【００６４】
本実施例のネックバンド型イヤーホン１００は、再生装置から電波によって送信されるオーディオ信号をオーディオ信号受信部１１０によって受信する構成としたが、再生装置からオーディオ信号が赤外線やその他のデータ送信手段によって送信され、これらの送信手段によって送信されたオーディオ信号をオーディオ信号受信部によって受信する構成としても良い。また、再生装置からのオーディオ信号を電波等の無線手段によって受信せずに、ケーブル等によってオーディオ信号を入力する構成としても良い。
【００６５】
本実施例のネックバンド型イヤーホン１００は、ヘッド保持部２００の操作部８００が押圧されることによってオーディオ信号の再生開始または再生停止の指示信号を出力する構成としたが、再生の開始または停止以外にも、例えば、ドライバーユニット７００から出力するオーディオ信号の音量調節、再生トラックの指定、再生テンポの指定等の指示を行うことができる構成としても良い。
【００６６】
本実施例のネックバンド型イヤーホン１００は、オーディオ信号を再生する再生装置をネックバンド型イヤーホン１００以外の別の装置とし、再生装置から送信されたオーディオ信号を受信する構成としたが、例えば、ネックバンド型イヤーホン１００のヘッド保持部２００の内部にオーディオ信号を記憶する記憶部と再生部を備え、当該記憶部に記憶されたオーディオ信号を当該再生部が再生する構成としても良い。このことにより、ネックバンド型イヤーホン１００以外に別の再生装置を備えずとも、ネックバンド型イヤーホンのみによってオーディオ信号を聴取することができるので、ユーザが通勤による歩行やジョギングなどのスポーツを行う場合に接続ケーブルなどを気にせずにスポーツに集中することができる。
【産業上の利用可能性】
【００６７】
本発明は、ネックバンド型イヤーホンに有用に用いることができる。
【符号の説明】
【００６８】
１０  ネックバンド型イヤーホン、２０  イヤーホンドライバー、
３０  ネックバンド、４０  イヤーホン部、５０  イヤーホルダー部、
６０  ホルダー本体、７０  クッション部、
８０  凸部、８１  中空部、８２  充填部材、
１００  ネックバンド型イヤーホン、２００  ヘッド保持部、
２０１シャーシ部、２０２  凹部、
２０３  カバー部、２０４  孔、２０５  ボス、
２０６  接触部、２０７  ディンプル部、２０８  曲面部、
３００  ハウジング、３０１  孔、３０２  空洞部、３０３  孔、
３０４  凸部、３０５  溝部、
４００  イヤーパッド、４０１  孔、４０２  鍔部、
５００  アーム部、６００  ネックバンド部、６０１  接続部、
７００  ドライバーユニット、８００  操作部、９００  基板、１０００  スイッチ、
１１０  オーディオ信号受信部、１２０  制御部、１３０  オーディオ信号出力部、
１４０  リード線、１５０  バッテリー
【図１】
0006026235.tif 000002
【図２】
0006026235.tif 000003
【図３】
0006026235.tif 000004
【図４】
0006026235.tif 000005
【図５】
0006026235.tif 000006
【図６】
0006026235.tif 000007
【図７】
0006026235.tif 000008